(57)【特許請求の範囲】
【請求項１】
幅方向両端側に互いに対向する一対の縦バーを有するフレームと、前記一対の縦バー間に該縦バーと直角に並列配置され、両端がそれぞれ縦バーに取り付けられた引張応力を有する湾曲可能な複数の背上げ部材と、前記背上げ部材の引張応力を調節する引張応力調節手段とを具備しており、
前記背上げ部材は、湾曲可能な帯状体の両端に引張応力を有する弾性体が取り付けられたものであり、
前記引張応力調節手段は、
前記弾性体による前記帯状体の引張強度を調節するものであり、
前記弾性体に一端が取り付けられ、前記帯状体の端部に重なるように配設された湾曲可能な調節用帯状体と、
前記帯状体の端部に、その長手方向に沿って配列された複数の被係合体と、
前記調節用帯状体に取り付けられた係合体とを具備しており、
前記複数の被係合体に対する前記係合体の係合位置を前記帯状体の長手方向の中央側にすることで、前記縦バーに取り付けられた前記弾性体に前記帯状体および前記調節用帯状体が取り付けられた状態で前記弾性体を伸長させて前記帯状体の引張強度を増強するように構成されていることを特徴とするベッド用背ボトム。
【請求項２】
前記被係合体がスナップの凸形留め具であり、前記係合体がスナップの凹形留め具である請求項１に記載のベッド用背ボトム。
【発明の詳細な説明】
【技術分野】
【０００１】
本発明は、介護支援ベッドなどに使用される起倒可能なベッド用背ボトムに関する。
【背景技術】
【０００２】
従来から、使用者がベッドに乗り降りしやすくしたり、介護者などが要介護者を介護しやすくしたりするために、背ボトム、尻ボトム、膝ボトムおよび脚ボトムを備え、各ボトムが電動機構により動作することによって、ベッドを使用している使用者の背上げ動作、脚上げ動作などを行うベッドがある。
【０００３】
このようなベッドの背ボトムとしては、従来、スチールやプラスチックからなる硬質のパネルを備え、背上げ動作時には上記パネルがその尻ボトム側の端部を支点として回動するものが一般に使用されている。このベッドは、回動する背ボトムによって使用者の背中に背上げ圧迫力を加えることにより、使用者の上体を起こすものである。この場合、背ボトムの回動と同時に背ボトムを斜め上に移動させたり、尻ボトムを下方に下げたりすることにより、背上げ動作時に使用者に加わる背上げ圧迫力を軽減する構造の介護支援ベッドもある（例えば、特許文献１参照）。
【０００４】
【特許文献１】特開平７−１６２６３号公報
【発明の開示】
【発明が解決しようとする課題】
【０００５】
しかしながら、従来の背ボトムは、硬質のパネルによって使用者に背上げ圧迫力を加えるため、使用者に加える背上げ圧迫力を調節することができず、そのため使用者の体格に応じて使用者に適切な背上げ圧迫力を加えることができなかった。
【０００６】
本発明はこのような点に鑑みてなされたものであり、使用者に加える背上げ圧迫力を調節することができ、したがって使用者の体格に応じて適切な背上げ圧迫力を加えることにより、使用者の背中部に加わる圧迫力を緩和することができるベッド用背ボトムを提供することを目的とする。
【課題を解決するための手段】
【０００７】
前述した目的を達成するため、本発明に係るベッド用背ボトムの特徴は、幅方向両端側に互いに対向する一対の縦バーを有するフレームと、前記一対の縦バー間に該縦バーと直角に並列配置され、両端がそれぞれ縦バーに取り付けられた引張応力を有する湾曲可能な複数の背上げ部材と、前記背上げ部材の引張応力を調節する引張応力調節手段とを具備しており、前記背上げ部材は、湾曲可能な帯状体の両端に引張応力を有する弾性体が取り付けられたものであり、前記引張応力調節手段は、前記弾性体による前記帯状体の引張強度を調節するものであり、前記弾性体に一端が取り付けられ、前記帯状体の端部に重なるように配設された湾曲可能な調節用帯状体と、前記帯状体の端部に、その長手方向に沿って配列された複数の被係合体と、前記調節用帯状体に取り付けられた係合体とを具備しており、前記複数の被係合体に対する前記係合体の係合位置を前記帯状体の長手方向の中央側にすることで、前記縦バーに取り付けられた前記弾性体に前記帯状体および前記調節用帯状体が取り付けられた状態で前記弾性体を伸長させて前記帯状体の引張強度を増強するように構成されている点にある。そして、このような構成を採用したことにより、引張応力調節手段によって帯状体の引張強度を調節することができるので、使用者に加わる背上げ圧迫力を容易に調節することができる。したがって、使用者の体格に応じて適切な背上げ圧迫力を加えることにより、使用者の背中部に加わる圧迫力を緩和することができる。さらに、縦バーに取り付けられた弾性体に帯状体および調節用帯状体が取り付けられているから、弾性体による帯状体の引張強度を調節する際に、引張応力調節手段が背上げ部材縦バーから分離して脱落するのを防止することができるので、使い勝手の向上を図ることができるし、簡単な構成で、弾性体による帯状体の引張強度の調節、すなわち、使用者に加わる背上げ圧迫力を容易に調節することができる。また、弾性体による帯状体の引張強度を調節する際に弾性体が縦バーに取り付けられた状態とされているので、背上げ部材が縦バーから分離して脱落することもない。
【０００８】
前記被係合体がスナップの凸形留め具であり、前記係合体がスナップの凹形留め具であることが好ましい。そして、このような構成を採用したことにより、係合体と被係合体とを容易に着脱することができる。
【発明の効果】
【０００９】
本発明に係るベッド用背ボトムによれば、引張応力調節手段によって帯状体の引張強度を調節することができるので、使用者に加わる背上げ圧迫力を容易に調節することができる。したがって、使用者の体格に応じて適切な背上げ圧迫力を加えることにより、使用者の背中部に加わる圧迫力を緩和することができるなどの極めて優れた効果を奏する。また、本発明に係るベッド用背ボトムによれば、弾性体による帯状体の引張強度を調節する際に、引張応力調節手段が背上げ部材から分離して脱落するのを防止することができるので、使い勝手の向上を図ることができるなどの極めて優れた効果を奏する。さらに、弾性体による帯状体の引張強度を調節する際に、弾性体が縦バーに取り付けられた状態とされているので、背上げ部材が縦バーから分離して脱落することもない。
【発明を実施するための最良の形態】
【００１０】
以下、本発明を図面に示す実施形態により説明する。
【００１１】
図１および図２は、本発明に係るベッド用背ボトムの実施形態を示すものであり、図１は全体構成の要部を示す概略平面図、図２は張力調節手段の構成を誇張して示す模式的斜視図である。
【００１２】
図１に示すように、本実施形態のベッド用背ボトム１は、フレーム２を有している。このフレーム２は、図１の左右方向に示す幅方向両端側に互いに対向する一対の内側縦バー３、４を有し、かつ、これら内側縦バー３、４の外方にそれぞれ外側縦バー５、６を有するとともに、内側縦バー３、４および外側縦バー５、６の一端部が横バー７に固定されたものである。なお、一対の内側縦バー３、４は請求項１で言う縦バーである。
【００１３】
前記一対の内側縦バー３、４の上端側の側面には、一対の内側縦バー３、４の相互間を接続する補助バー８の両端が固定されている。また、内側縦バー３、４と外側縦バー５、６のとの相互間、および横バー７と補助バー８との相互間のそれぞれの上面には、金属メッシュ９が取り付けられている。
【００１４】
前記内側縦バー３、４間と、補助バー８とにより囲まれた空間内には、内側縦バー３、４と直角に複数（本実施形態では５つ）の背上げ部材１０が所定間隔をおいて並列に配置されている。
【００１５】
前記背上げ部材１０は、図１および図２に示すように、湾曲可能な帯状体１１の両端に引張応力を有する弾性体１２、１２が取り付けられたものである。そして、弾性体１２、１２の帯状体１１の取り付けられた端部とは反対側の端部（背上げ部材１０の両端）が、内側縦バー３、４に着脱可能に取り付けられている。また、帯状体１１の両端部には、それぞれ複数（本実施形態においては３つ）の被係合体１３が帯状体１１の長手方向に沿って配列されて取り付けられている。
【００１６】
前記帯状体１１は、湾曲可能なものであればよく、例えば樹脂、金属、革、布、ゴムなどを単独もしくは少なくとも２種を組み合わせて平板状や網板状としたものを用いることができる。本実施形態においては、車両の座席に使用されているシートベルトが用いられている。
【００１７】
前記引張応力を有する弾性体１２としては、例えば引張コイルバネ、ゴム系伸縮材などを用いることができる。
【００１８】
なお、背上げ部材１０は、湾曲可能でかつ引張応力を有する材質により形成してもよいが、本実施形態のように湾曲可能な帯状体１１の両端に引張応力を有する弾性体１２を取り付けて形成することがより好ましい。
【００１９】
前記被係合体１３は、後述する係合体１４と容易に着脱することができるものであればよく、本実施形態においてはスナップの一方である凸形留め具が用いられている。
【００２０】
前記背上げ部材１０には、湾曲可能な調節用帯状体１５が取り付けられている。この調節用帯状体１５は、図２に詳示するように、一端が弾性体１２に取り付けられているとともに、背上げ部材１０の帯状体１１の端部に重なるように配設されている。また、調節用帯状体１５には、被係合体１３に対して着脱可能とされた係合体１４が取り付けられている。
【００２１】
前記調節用帯状体１５としては、前記帯状体１０と同様に、湾曲可能なものであればよく、例えば樹脂、金属、革、布、ゴムなどを単独もしくは少なくとも２種を組み合わせて平板状や網板状としたものを用いることができる。本実施形態においては、前記帯状体１０と同一のシートベルトがその長さを短くして用いられている。
【００２２】
前記係合体１４は、前記被係合体１３と容易に着脱することができるものであればよく、本実施形態においてはスナップの他方である凹形留め具が用いられている。
【００２３】
前記被係合体１３および係合体１４は、係合体１４を係合する被係合体１３の係合位置（取付位置）を変えることにより、弾性体１２、１２による帯状体１１の引張強度を調節することができるようになっている。
【００２４】
すなわち、係合体１４を３つの被係合体１３のうちのどれに係合させるかによって、弾性体１２による帯状体１１の引張強度を調節することができるようになっている。さらに、係合体１４を３つの被係合体１３のうちの帯状体１１の長手方向の中央側に配置されている被係合体１３と係合させることで、弾性体１２、１２をより伸長させて背上げ部材１０の帯状体１１の引張強度を増強することができるように構成されている。
【００２５】
なお、図１および図２は、係合体１４を３つの被係合体１３のうちの弾性体に隣位する最も外側に取り付けた状態を簡略化して示してある。
【００２６】
前記調節用帯状体１５、複数の被係合体１３および係合体１４により、本実施形態の弾性体１２による帯状体１１の引張強度を調節するとともに、背上げ部材１０のそれぞれに取り付けられた引張応力調節手段１６が構成されている。
【００２７】
なお、係合体１４および被係合体１３は、一対の内側縦バー３、４の長手方向に沿って複数配列してもよい。また、係合体１４を帯状体１１に取り付け、被係合体１３を調節用帯状体１５に取り付ける構成としてもよい。
【００２８】
また、引張応力調節手段１６は、背上げ部材１０の一端側にのみ設けてもよいが、本実施形態のように背上げ部材１０の両端に取り付けて形成することがより好ましい。
【００２９】
その他の構成は、従来公知のベッド用背ボトムと同様とされているので、その詳しい説明については省略する。  
【００３０】
つぎに、前述した構成からなる本実施形態の作用について説明する。
【００３１】
本実施形態のベッド用背ボトム１を背上げ機構を具備するベッドに用いる場合、調節用帯状体１５に取り付けられた引張応力調節手段１６を操作、具体的には、係合体１４を帯状体１０の適宜位置の被係合体１３に係合することにより、弾性体１２による帯状体１１の引張強度を使用者の体格に応じて調節する。
【００３２】
この時、引張応力調節手段１６が背上げ部材１０に取り付けられているので、引張応力調節手段１６、詳しくは、被係合体１３、係合体１４および調節用帯状体１５が背上げ部材１０から分離し脱落するのを容易に防止することができる。なお、各被係合体１３には、引張強度の強さを示す番号、記号、色などを表示することができる。
【００３３】
そして、使用者がベッドを使用する際には、使用者がベッドに寝た状態で、電動操作によりベッド用背ボトム１４を起立させ、背上げ動作を行う。この時、上述のように使用者の体格に応じて弾性体１２による帯状体１１の引張強度を調節することにより、電動によって背上げ動作をするときに、自力で背上げをする体位移動状態と同様に背中部が湾曲した帯状体１１に支えられ、使用者の背中部にかかる圧迫を緩和することができる。また、背ボトム１４の角度が５０度を超えると、背ボトム１４にかかる体荷重が減少し、弾性体１２の復元力が働き、背中の湾曲が伸びて座る体位となる。
【００３４】
このように、本実施形態のベッド用背ボトム１によれば、引張応力調節手段１６によって帯状体１１の引張強度を調節することができるので、使用者に加わる背上げ圧迫力を容易に調節することができ、したがって使用者の体格に応じて適切な背上げ圧迫力を加えることにより、使用者の背中部に加わる圧迫力を緩和することができる。
【００３５】
さらに、本実施形態のベッド用背ボトム１によれば、引張応力調節手段１６が背上げ部材１０に取り付けられているので、弾性体１２による帯状体１１の引張強度を調節する際に、調節用帯状体１５から手を離しても、調節用帯状体１５が背上げ部材１０から分離して脱落することがない。その結果、操作性、すなわち使い勝手の向上を容易かつ確実に図ることができる。
【００３６】
また、本実施形態のベッド用背ボトム１によれば、引張応力調節手段１６が弾性体１２に一端が取り付けられ、背上げ部材１０の帯状体１１の端部に重なるように配設された湾曲可能な調節用帯状体１５と、背上げ部材１０の帯状体１１の端部に、その長手方向に沿って配列された複数の被係合体１３と、調節用帯状体１５に取り付けられた係合体１４とを具備しており、複数の被係合体１３に対する係合体１４の係合位置を背上げ部材１０の帯状体１１の長手方向の中央側にすることで、弾性体１２を伸長させて背上げ部材１０の帯状体１１の引張強度を増強するように構成されているから、簡単な構成で、弾性体１２による帯状体１１の引張強度の調節、すなわち、使用者に加わる背上げ圧迫力をより容易に調節することができる。
【００３７】
本発明のベッド用背ボトムは、従来公知の背上げ機能を有する各種のベッドに用いることができる。
【００３８】
また、本発明は、前述した実施形態に限定されるものではなく、必要に応じて種々の変更が可能である。
【図面の簡単な説明】
【００３９】
【図１】本発明に係るベッド用背ボトムの実施形態の全体構成の要部を示す概略平面図
【図２】図１の張力調節手段の構成を誇張して示す模式的斜視図
【符号の説明】
【００４０】
１  ベッド用背ボトム
２  フレーム
３、４  内側縦バー
５、６  外側縦バー
７  横バー
１０  背上げ部材
１１  帯状体
１２  弾性体
１３  被係合体
１４  係合体
１５  調節用帯状体
１６  引張応力調節手段
【図１】
0004828902.tif 000002
【図２】
0004828902.tif 000003